(57)【要約】      （修正有）【課題】箱体への組み立てが容易な箱用シートを提供する。【解決手段】１枚のシートからなり、底板２と、この底板の対向する側縁に立設される一対の側板３、４と、この一対の側板の上縁間に架け渡される天板５とを備える箱体に組み立て可能な箱用シート１であって、一対の側板の後縁から延出し、内側に折り曲げられて互いに組み合わされる一対の後蓋フラップ７、８と、底板の後縁から延出し、一対の後蓋フラップの前面に折り重ねられる第１折り重ね板９と、第１折り重ね板の上縁から延出し、底板と平行に折り曲げられる支持板１０、１１とを備え、支持板が、幅方向両側に形成され、前方に突出する一対の凸部２８ａと、幅方向中央部に形成される物品支持用の窪み部２８ｂとを有し、一対の側板が、破断容易線２１ａ、２３ａ及び折り曲げ容易線２１ｂ、２３ｂによって画定され、内側に折り曲げられて一対の凸部と係合する一対の係合片２１を有する。【選択図】図１
0003223837.tif 000002
【実用新案登録請求の範囲】
【請求項１】
１枚のシートからなり、底板と、この底板の対向する側縁に立設される一対の側板と、この一対の側板の上縁間に架け渡される天板とを備える箱体に組み立て可能な箱用シートであって、
上記一対の側板の後縁から延出し、内側に折り曲げられて互いに組み合わされる一対の後蓋フラップと、
上記底板の後縁から延出し、上記一対の後蓋フラップの前面に折り重ねられる第１折り重ね板と、
上記第１折り重ね板の上縁から延出し、上記底板と平行に折り曲げられる支持板と
を備え、
上記支持板が、幅方向両側に形成され、前方に突出する一対の凸部と、幅方向中央部に形成される物品支持用の窪み部とを有し、
上記一対の側板が、破断容易線及び折り曲げ容易線によって画定され、内側に折り曲げられて上記一対の凸部と係合する一対の係合片を有する箱用シート。
【請求項２】
上記係合片が、上記凸部を挿入可能な係止孔を有する請求項１に記載の箱用シート。
【請求項３】
上記係合片が、破断容易線及び折り曲げ容易線によって画定される折り曲げ片を有し、
上記係止孔が、上記折り曲げ片の折り曲げによって形成される請求項２に記載の箱用シート。
【請求項４】
一方の上記後蓋フラップが、矩形状の本体と、この本体の先端縁から突出する１又は複数の差込片を有し、
他方の上記後蓋フラップが、上記差込片が挿入される差込孔を有する請求項１、請求項２又は請求項３に記載の箱用シート。
【請求項５】
上記天板の後縁から延出し、上記一対の後蓋フラップの前面に折り重ねられる第２折り重ね板をさらに備え、
少なくとも一方の上記側板が、上記第２折り重ね板を前面側から支持し、この第２折り重ね板の前方への傾斜を防止可能な支持片を有する請求項４に記載の箱用シート。
【考案の詳細な説明】
【技術分野】
【０００１】
本考案は、箱用シートに関する。
【背景技術】
【０００２】
花卉等の植物の保管、運搬等に段ボールシート等を組み立ててなる包装箱が用いられている。花卉等の植物は水に浸けて保管できるよう、包装箱内で立てた状態で収容されることが望まれる。花卉を立てた状態で収容可能な包装箱としては、包装ケースと、この包装ケース内に配置され、花卉の茎部が挿入される開口を有する鍔板部材とを有するものが公知である（特開２０１２−４６１９６号公報参照）。
【先行技術文献】
【特許文献】
【０００３】
【特許文献１】特開２０１２−４６１９６号公報
【考案の概要】
【考案が解決しようとする課題】
【０００４】
上記公報に記載の包装箱では、上記鍔板部材が上記包装ケースの側壁の内面に接着されることで包装ケース内に配置されている。この包装箱は、組み立ての際に上記鍔板部材を上記包装ケースに接着することを要するので、組み立て作業が煩雑になる。
【０００５】
本考案は、このような不都合に鑑みてなされたものであり、箱体への組み立てが容易な箱用シートの提供を課題とする。
【課題を解決するための手段】
【０００６】
上記課題を解決するためになされた本考案に係る箱用シートは、１枚のシートからなり、底板と、この底板の対向する側縁に立設される一対の側板と、この一対の側板の上縁間に架け渡される天板とを備える箱体に組み立て可能な箱用シートであって、上記一対の側板の後縁から延出し、内側に折り曲げられて互いに組み合わされる一対の後蓋フラップと、上記底板の後縁から延出し、上記一対の後蓋フラップの前面に折り重ねられる第１折り重ね板と、上記第１折り重ね板の上縁から延出し、上記底板と平行に折り曲げられる支持板とを有し、上記支持板が、幅方向両側に形成され、前方に突出する一対の凸部と、幅方向中央部に形成される物品支持用の窪み部とを有し、上記一対の側板が、破断容易線及び折り曲げ容易線によって画定され、内側に折り曲げられて上記一対の凸部と係合される一対の係合片を有する。
【考案の効果】
【０００７】
本考案に係る箱用シートは、箱体に容易に組み立てることができる。
【図面の簡単な説明】
【０００８】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の凸部と係合片との係合状態を示す模式的部分拡大正面図である。
【図４】図４は、図２の箱体のＡ−Ａ線断面図である。
【図５】図５は、図２の箱体の模式的背面図である。
【図６】図６は、図２の箱体の花卉を収容した状態を示す模式的斜視図である。
【図７】図７は、図６の箱体の第２支持板による花卉の支持状態を示す模式的部分拡大図である。
【考案を実施するための形態】
【０００９】
［本考案の実施形態の説明］
最初に本考案の実施態様を列記して説明する。
【００１０】
本考案に係る箱用シートは、１枚のシートからなり、底板と、この底板の対向する側縁に立設される一対の側板と、この一対の側板の上縁間に架け渡される天板とを備える箱体に組み立て可能な箱用シートであって、上記一対の側板の後縁から延出し、内側に折り曲げられて互いに組み合わされる一対の後蓋フラップと、上記底板の後縁から延出し、上記一対の後蓋フラップの前面に折り重ねられる第１折り重ね板と、上記第１折り重ね板の上縁から延出し、上記底板と平行に折り曲げられる支持板とを備え、上記支持板が、幅方向両側に形成され、前方に突出する一対の凸部と、幅方向中央部に形成される物品支持用の窪み部とを有し、上記一対の側板が、破断容易線及び折り曲げ容易線によって画定され、内側に折り曲げられて上記一対の凸部と係合する一対の係合片を有する。
【００１１】
当該箱用シートは、第１折り重ね板の上縁から延出し、底板と平行に折り曲げられる支持板を備え、この支持板が幅方向中央部に物品支持用の窪み部を有するので、例えば植物の茎部をこの窪み部にもたれ掛けさせることでこの植物を立った状態で箱体内に収容することができる。当該箱用シートは、上記支持板が幅方向の両側に一対の凸部を有し、一対の側板がこれらの凸部と係合する一対の係合片を有するので、上記支持板の箱体内での姿勢が安定する。当該箱用シートは、１枚のシートからなるので、箱体への組み立てが容易である。
【００１２】
上記係合片が、上記凸部を挿入可能な係止孔を有するとよい。このように、上記係合片が、上記凸部を挿入可能な係止孔を有することによって、上記凸部と上記係合片とを容易に係合することができる。
【００１３】
上記係合片が、破断容易線及び折り曲げ容易線によって画定される折り曲げ片を有し、上記係止孔が、上記折り曲げ片の折り曲げによって形成されるとよい。このように、上記係合片が、破断容易線及び折り曲げ容易線によって画定される折り曲げ片を有し、上記係止孔が、上記折り曲げ片の折り曲げによって形成されることによって、上記係止孔に挿入された上記凸部をシート材の反力によって上記折り曲げ片と上記係止孔のエッジとで挟み込みやすい。その結果、上記凸部と上記係合片とをより確実に係合することができる。
【００１４】
一方の上記後蓋フラップが、矩形状の本体と、この本体の先端縁から突出する１又は複数の差込片を有し、他方の上記後蓋フラップが、上記差込片が挿入される差込孔を有するとよい。このように、一方の上記後蓋フラップが、矩形状の本体と、この本体の先端縁から突出する１又は複数の差込片を有し、他方の上記後蓋フラップが、上記差込片が挿入される差込孔を有することによって、上記一対の後蓋フラップ同士を容易かつ確実に係合することができる。
【００１５】
当該箱用シートは、上記天板の後縁から延出し、上記一対の後蓋フラップの前面に折り重ねられる第２折り重ね板をさらに備えるとよい。また、少なくとも一方の上記側板が、上記第２折り重ね板を前面側から支持し、この第２折り重ね板の前方への傾斜を防止可能な支持片を有するとよい。このように、上記天板の後縁から延出し、上記一対の後蓋フラップの前面に折り重ねられる第２折り重ね板をさらに備え、少なくとも一方の上記側板が、上記第２折り重ね板を前面側から支持し、この第２折り重ね板の前方への傾斜を防止可能な支持片を有することによって、上記一対の後蓋フラップ同士の係合状態を安定的に保持することができる。
【００１６】
なお、本考案において、「前」、「後」、「上」とは、当該箱用シートが箱体に組み立てられた状態での相対的な位置関係を意味している。また、「内」とは、箱体における内を意味する。
【００１７】
［本考案の実施形態の詳細］
以下、適宜図面を参照しつつ、本考案の実施の形態を詳説する。
【００１８】
［箱用シート］
図１の箱用シート１は、１枚のシートからなる。当該箱用シート１は、底板２と、底板２の対向する側縁に立設される一対の側板（第１側板３及び第２側板４）と、第１側板３及び第２側板４の上縁間に架け渡される天板５とを備える図２の箱体３０に組み立て可能である。
【００１９】
当該箱用シート１は、底板２と、底板２の対向する側縁に連接される第１側板３及び第２側板４と、第１側板３の底板２に連接される側と反対側の端縁に連接される天板５と、第２側板４の底板２に連接される側と反対側の端縁に連接される糊代６とを備える。当該箱用シート１は、天板５の第１側板３に連接される側と反対側の内面に糊代６を貼着し、底板２、第１側板３、第２側板４及び天板５を四角筒状に広げることで、底板２の対向する一対の側縁に第１側板３及び第２側板４が立設され、第１側板３及び第２側板４の上縁間に天板５が掛け渡された状態に組み立てられる。
【００２０】
当該箱用シート１は、一対の側板３，４の後縁から延出し、内側に折り曲げられて互いに組み合わされる一対の後蓋フラップ（第１側板３の後縁から延出する第１後蓋フラップ７及び第２側板４の後縁から延出する第２後蓋フラップ８）と、底板２の後縁から延出し、第１後蓋フラップ７及び第２後蓋フラップ８の前面に折り重ねられる第１折り重ね板９と、第１折り重ね板９の上縁から延出し、底板２と平行に折り曲げられる第１支持板１０とを備える。また、当該箱用シート１は、第１支持板１０の前縁から延出し、上方に折り曲げられる第２支持板１１と、天板５の後縁から延出し、第１後蓋フラップ７及び第２後蓋フラップ８の前面に折り重ねられる第２折り重ね板１２と、一対の側板３，４の前縁から延出し、内側に折り曲げられて前蓋を形成する一対の前蓋フラップ（第１側板３の前縁から延出する第１前蓋フラップ１３及び第２側板４の前縁から延出する第２前蓋フラップ１４）と、底板２の前縁から延出し、第１前蓋フラップ１３及び第２前蓋フラップ１４の後面に折り重ねられる第３折り重ね板１５と、天板５の前縁から延出し、第１前蓋フラップ１３及び第２前蓋フラップ１４の後面に折り重ねられる第４折り重ね板１６とを備える。なお、図１において、太い実線はシートを切断して形成されるエッジを示し、細い実線はシートに筋押しして形成される罫線を示す。
【００２１】
当該箱用シート１に用いられるシートとしては、当該箱用シート１を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、座屈強度を高めやすい段ボールシートが特に好ましい。当該箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。また、当該箱用シート１において、上記中芯の稜線は、底板２の左右方向と平行とすることができる。
【００２２】
（底板）
底板２は略長方形状である。底板２の前後方向長さ（図２のＹ方向長さ）としては、例えば１０ｃｍ以上２５ｃｍ以下とすることができる。底板２の左右方向長さ（図２のＸ方向長さ）としては、例えば２０ｃｍ以上４５ｃｍ以下とすることができる。
【００２３】
（側板）
第１側板３及び第２側板４は、組立状態で互いに対向する。第１側板３及び第２側板４は前後方向に対して上下方向（図２のＺ方向）が大きい略長方形状である。第１側板３及び第２側板４の前後方向長さとしては、底板２の前後方向長さと略同じとすることができる。第１側板３及び第２側板４の上下方向長さとしては、例えば４０ｃｍ以上１２０ｃｍ以下とすることができる。
【００２４】
第１側板３及び第２側板４は、第１破断容易線２１ａ及び第１折り曲げ容易線２１ｂによって画定され、内側に折り曲げられる係合片２１を有する。係合片２１は、第１支持板１０に設けられる後述の凸部２８ａと係合する。係合片２１は、上下方向に延びる第１折り曲げ容易線２１ｂと、この第１折り曲げ容易線２１ｂの両端に接続され、前方に凸な第１破断容易線２１ａとによって画定されており、第１折り曲げ容易線２１ｂで内側に折り曲げ可能に構成される。第１側板３に形成される係合片２１と第２側板４に形成される係合片２１とは組立状態で互いに対向する。なお、「破断容易線」とは、破断容易なように複数の切断線が断続的に設けられたものの他、１つの切断線によって破断予定部が予め破断されたものを含む。
【００２５】
図２及び図３に示すように、係合片２１は、凸部２８ａを挿入可能な係止孔２２を有する。これにより、当該箱用シート１は、凸部２８ａと係合片２１とを容易に係合することができる。第１側板３及び第２側板４の下縁と係止孔２２との間の間隔は、第１折り重ね板９の上下方向長さと略等しい。
【００２６】
係合片２１は、第２破断容易線２３ａ及び第２折り曲げ容易線２３ｂによって画定される折り曲げ片２３を有する。折り曲げ片２３は、前後方向に延びる第２折り曲げ容易線２３ｂと、この第２折り曲げ容易線２３ｂの両端に接続され、上方に凸な第２破断容易線２３ａとによって画定されており、第２折り曲げ容易線２３ｂで後方に折り曲げ可能に構成されている。図２及び図３に示すように、係止孔２２は、折り曲げ片２３の折り曲げによって形成される。当該箱用シート１は、係止孔２２が折り曲げ片２３の折り曲げによって形成されることによって、図３に示すように、係止孔２２に挿入された凸部２８ａをシート材の反力によって折り曲げ片２３と係止孔２２のエッジとで挟み込みやすい。その結果、当該箱用シート１は、凸部２８ａと係合片２１とをより確実に係合することができる。
【００２７】
第１側板３及び第２側板４の上部には、手掛け穴形成部２４が形成されている。手掛け穴形成部２４は、破断容易線及び折り曲げ容易線によって画定される１又は複数の折り込み片を有しており、この折り込み片を内側に折り込むことで手掛け穴を形成可能に構成されている。
【００２８】
図２及び図４に示すように、第１側板３は、第２折り重ね板１２を前面側から支持し、第２折り重ね板１２の前方への傾斜を防止可能な支持片２５を有する。図１に示すように、支持片２５は、前後方向に延びる第３折り曲げ容易線２５ｂと、第３折り曲げ容易線２５ｂの両端に接続され、上方に凸な第３破断容易線２５ａとによって画定されている。支持片２５は、例えば長方形状である。支持片２５の後縁と第１側板３の後縁との間隔Ｄとしては、シート厚さ以上、かつシート厚さの２倍以下程度とすることができ、例えばシート厚さが５ｍｍの場合であれば、５ｍｍ以上１０ｍｍ以下とすることができる。支持片２５は、第２折り重ね板１２の先端縁（下縁）近傍を前面側から支持可能に構成される。図２の組立状態において、上下方向における第２折り重ね板１２の先端縁と支持片２５との間隔としては、例えば０ｍｍ以上２０ｍｍ以下とすることができる。
【００２９】
当該箱用シート１は、第１側板３が支持片２５を有することで、第１後蓋フラップ７及び第２後蓋フラップ８の係合状態を安定的に保持することができる。
【００３０】
（天板）
天板５は略長方形状である。天板５は、底板２と略同形状であり、図２の組立状態で底板２と対向して配置される。
【００３１】
（後蓋フラップ）
第１後蓋フラップ７は略長方形状である。第１後蓋フラップ７は、第１側板３の後縁の略全領域から延出している。図５に示すように、第１後蓋フラップ７は、第２後蓋フラップ８に形成される後述の一対の差込片２７ｂが挿入される一対の差込孔２６を有する。図１に示すように、差込孔２６は、上下方向に延びる第４折り曲げ容易線２６ｂと、この第４折り曲げ容易線２６ｂの両端に接続され、第１後蓋フラップ７の基端側（第１側板３と接続される側）に凸な第４破断容易線２６ａとによって画定されている。第４破断容易線２６ａはコ字状である。第４破断容易線２６ａは、第４折り曲げ容易線２６ｂと垂直に延びる一対の第１部分と、この第１部分同士を接続し、第４折り曲げ容易線２６ｂと平行に延びる第２部分とを有する。
【００３２】
第２後蓋フラップ８は、矩形状の本体２７ａと、本体２７ａの先端縁から延出する一対の差込片２７ｂとを有する。本体２７ａは長方形状である。本体２７ａは、第２側板４の後縁の略全領域から延出している。一対の差込片２７ｂは、基端側から先端側に向けて幅が漸増する拡幅部と、幅が漸減する縮幅部とをこの順で有する。差込片２７ｂの先端縁の幅は第４折り曲げ容易線２６ｂの長さ以下である。差込片２７ｂの基端縁の幅は第４折り曲げ容易線２６ｂの長さ以下であり、第４折り曲げ容易線２６ｂの長さと略同じであることが好ましい。一方、差込片２７ｂの拡幅部の最大幅は第４折り曲げ容易線２６ｂの長さよりも大きい。上記最大幅と第４折り曲げ容易線２６ｂの長さとの差としては、シート厚さの３倍以下程度とすることができ、シート厚さが５ｍｍの場合であれば、０ｍｍ超１５ｍｍ以下が好ましく、５ｍｍ以上１０ｍｍ以下がより好ましい。上記差が上記下限未満であると、差込片２７ｂが差込孔２６から意図せず抜け出るおそれがある。逆に、上記差が上記上限を超えると、差込片２７ｂを差込孔２６に挿入し難くなるおそれがある。
【００３３】
図５を参照して、第１後蓋フラップ７と第２後蓋フラップ８との組み合わせ手順について説明する。まず、第１後蓋フラップ７を第１側板３との境界線で内側に折り曲げ、続いて第２後蓋フラップ８を第２側板４との境界線で内側に折り曲げて、第２後蓋フラップ８を第１後蓋フラップ７の外面に重ね合わせる。次に、この重ね合わせ状態で、第２後蓋フラップ８を内側に押し込んでいく。この押し込みによって第１後蓋フラップ７が第１側板３との境界線を回転軸として内側に揺動し、第２後蓋フラップ８に形成される差込片２７ｂの先端縁が第１後蓋フラップ７に当接した状態で差込孔２６の位置まで移動する。この際、第１後蓋フラップ７にシート材の反力によって外側に戻ろうとする力が働くため、第２後蓋フラップ８を第１後蓋フラップ７への押圧を弱める方向に移動させることで、差込片２７ｂが差込孔２６に容易に挿入される。このように、当該箱用シート１は、第１後蓋フラップ７が差込孔２６を有し、第２後蓋フラップ８が差込片２７ｂを有することで、第１後蓋フラップ７及び第２後蓋フラップ８を容易かつ確実に係合することができる。
【００３４】
なお、当該箱用シート１は、第１後蓋フラップ７と第２後蓋フラップ８とを係合した状態で第１後蓋フラップ７及び／又は第２後蓋フラップ８が内側に折り込まれると一対の差込孔２６から一対の差込片２７ｂが抜け出るおそれがある。この点に関し、当該箱用シート１は、上述のように第１側板３が第２折り重ね板１２の前方への傾斜を防止可能な支持片２５を有しているので、第１後蓋フラップ７及び／又は第２後蓋フラップ８の内側への折り込みを防止でき、一対の差込孔２６からの一対の差込片２７ｂの抜けを適切に防止することができる。
【００３５】
（第１折り重ね板）
第１折り重ね板９は略長方形状である。第１折り重ね板９の幅は、底板２の左右方向長さと略等しい。第１折り重ね板９は、図２の箱体３０において第１後蓋フラップ７及び第２後蓋フラップ８の前面を前方から支持することで、一対の差込孔２６からの一対の差込片２７ｂの抜けを防止する。
【００３６】
（第１支持板）
第１支持板１０は第１折り重ね板９の先端縁の全領域から延出している。第１支持板１０の幅は底板２の左右方向長さと略等しい。第１支持板１０は、幅方向両側に形成され、前方に突出する一対の凸部２８ａと、幅方向中央部に形成される物品支持用の窪み部２８ｂとを有する。一対の凸部２８ａは、第１支持板１０の前縁（先端縁）の両端部から前方に突出している。一対の凸部２８ａは、一対の係止片２１の係止孔２２に挿入されることで、第１支持板１０を底板２と平行に保持する。
【００３７】
窪み部２８ｂは、第１支持板１０の前縁の中央部に形成されている。窪み部２８ｂは、例えばコ字状である。図６に示すように、窪み部２８ｂは、例えば花卉等の植物Ｐの茎部を後方及び側方から支持可能に構成されている。
【００３８】
（第２支持板）
第２支持板１１は、第１支持板１０の前縁から延出しており、より詳しくは窪み部２８ｂの底部から延出している。図６に示すように、第２支持板１１は、第１支持板１０から上方に折り曲げられることで植物Ｐを後方から支持可能に構成される。
【００３９】
図１に示すように、第２支持板１１は、第５破断容易線２９ａ及び第５折り曲げ容易線２９ｂによって画定される挟持片２９を有する。挟持片２９は、左右方向に延びる第５折り曲げ容易線２９ｂと、この第５折り曲げ容易線２９ｂの両端に接続され、下方に凸な第５破断容易線２９ａとによって画定されている。図７に示すように、挟持片２９は、植物Ｐの包装用フィルムＦを第２支持板１１との間に挟み込むことで、植物Ｐの箱体３０内での姿勢を安定させると共に、包装フィルムＦ内に液体が溜められていた場合にこの液体の漏れを抑制する。
【００４０】
（第２折り重ね板）
第２折り重ね板１２は略長方形状である。第２折り重ね板１２の幅は、底板２の左右方向長さと略等しい。第２折り重ね板１２は、図２の箱体３０において、第１後蓋フラップ７及び第２後蓋フラップ８の前面を前方から支持する。
【００４１】
（前蓋フラップ）
第１前蓋フラップ１３及び第２前蓋フラップ１４はそれぞれ略長方形状である。第１前蓋フラップ１３及び第２前蓋フラップ１４の幅（上下方向長さ）は、第１側板３及び第２側板４の上下方向長さと略等しい。第１前蓋フラップ１３及び第２前蓋フラップ１４の延出方向の合計長さは、底板２の左右方向長さ以上である。
【００４２】
（第３折り重ね板）
第３折り重ね板１５は略長方形状である。第３折り重ね板１５の幅は、底板２の左右方向長さと略等しい。第３折り重ね板１５は、図２の箱体３０において底板２との境界線で内側に折り曲げられることで、第１前蓋フラップ１３及び第２前蓋フラップ１４が閉じられた状態で、第１前蓋フラップ１３及び第２前蓋フラップ１４の後面を後方から支持する。
【００４３】
（第４折り重ね板）
第４折り重ね板１６は略長方形状である。第４折り重ね板１６の幅は、底板２の左右方向長さと略等しい。第４折り重ね板１６は、図２の箱体３０において第２折り重ね板１２と対向するように、天板５との境界線で内側に折り曲げられる。第４折り重ね板１６は、図２の箱体３０において第１前蓋フラップ１３及び第２前蓋フラップ１４が閉じられた状態で、第１前蓋フラップ１３及び第２前蓋フラップ１４の後面を後方から支持する。
【００４４】
＜利点＞
当該箱用シート１は、第１折り重ね板９の上縁から延出し、底板２と平行に折り曲げられる第１支持板１０を備え、この第１支持板１０が幅方向中央部に物品支持用の窪み部２８ｂを有するので、例えば植物Ｐの茎部をこの窪み部２８ｂにもたれ掛けさせることでこの植物Ｐを立った状態で箱体３０内に収容することができる。当該箱用シート１は、第１支持板１０が幅方向の両側に一対の凸部２８ａを有し、一対の側板３，４がこれらの凸部２８ａと係合する一対の係合片２１を有するので、第１支持板１０の箱体３０内での姿勢が安定する。当該箱用シート１は、１枚のシートからなるので、箱体３０への組み立てが容易である。
【００４５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４６】
例えば当該箱用シートは、１枚のシートからなり、底板と、この底板の対向する側縁に立設される一対の側板と、この一対の側板の上縁間に架け渡される天板とを備える箱体に組み立て可能である限り、必ずしも底板の対向する一対の側縁に一対の側板が連接され、一方の側板に天板が連接されていなくてもよい。例えば当該箱用シートは、天板の対向する一対の側縁に一対の側板が連接され、一方の側板に底板が連接されて構成されていてもよい。
【００４７】
上記係合片の具体的構成は、上述の実施形態に記載の構成に限定されるものではない。例えば上記係合片は、第１支持板に形成される凸部に係合される切欠きを有するものであってもよい。また、上記係合片が上記凸部を挿入可能な係止孔を有する場合でも、この係止孔は折り曲げ片の折り曲げによって形成されたものでなくてもよい。
【００４８】
上記第２後蓋フラップは、必ずしも一対の差込片を有していなくてもよい。上記第２後蓋フラップは、１つの差込片のみを有していてもよく、３以上の差込片を有していてもよい。また、上記第１後蓋フラップと上記第２後蓋フラップとは差込片の差込孔への挿入によって組み合わされるものでなくてもよく、例えば封函テープ等によって互いに固定されるものであってもよい。
【００４９】
当該箱用シートは、必ずしも天板の後縁から延出する第２折り重ね板を備えていなくてもよい。また、当該箱用シートがこの第２折り重ね板を備える場合でも、上記第１側板は上記第２折り重ね板を前面側から支持する支持片を有しなくてもよい。一方、当該箱用シートは、上記第１側板及び第２側板がそれぞれ上述の支持片を有していてもよい。
【産業上の利用可能性】
【００５０】
以上のように、本考案の箱用シートは、花卉等の植物を収容するのに適している。
【符号の説明】
【００５１】
１  箱用シート
２  底板
３  第１側板
４  第２側板
５  天板
６  糊代
７  第１後蓋フラップ
８  第２後蓋フラップ
９  第１折り重ね板
１０  第１支持板
１１  第２支持板
１２  第２折り重ね板
１３  第１前蓋フラップ
１４  第２前蓋フラップ
１５  第３折り重ね板
１６  第４折り重ね板
２１  係合片
２１ａ  第１破断容易線
２１ｂ  第１折り曲げ容易線
２２  係止孔
２３  折り曲げ片
２３ａ  第２破断容易線
２３ｂ  第２折り曲げ容易線
２４  手掛け穴形成部
２５  支持片
２５ａ  第３破断容易線
２５ｂ  第３折り曲げ容易線
２６  差込孔
２６ａ  第４破断容易線
２６ｂ  第４折り曲げ容易線
２７ａ  本体
２７ｂ  差込片
２８ａ  凸部
２８ｂ  窪み部
２９  挟持片
２９ａ  第５破断容易線
２９ｂ  第５折り曲げ容易線
３０  箱体
Ｐ  植物
Ｆ  包装用フィルム
【図１】
0003223837.tif 000003
【図２】
0003223837.tif 000004
【図３】
0003223837.tif 000005
【図４】
0003223837.tif 000006
【図５】
0003223837.tif 000007
【図６】
0003223837.tif 000008
【図７】
0003223837.tif 000009